【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】ディジタル情報記録再生装置及び記録再生方法
【手続補正２】
【補正対象書類名】明細書
【補正対象項目名】特許請求の範囲
【補正方法】変更
【補正の内容】
【特許請求の範囲】
【請求項１】
コピー制限情報が付加されたディジタル情報が入力される入力手段と、
入力された前記ディジタル情報を復号化する復号化手段と、
復号化された前記ディジタル情報を記録媒体に記録する記録手段と、
記録媒体に記録された前記ディジタル情報を再生する再生手段と、
再生された前記ディジタル情報を暗号化する暗号化手段と、
暗号化された前記ディジタル情報を出力する出力手段と、
前記コピー制限情報の種別を判別する判別手段と、
前記ディジタル情報の処理を制御する制御手段とを備え、
前記制御手段は、前記判別手段における判別結果に応じて、前記入力手段に入力されたディジタル情報を前記復号化手段で復号化して前記記録手段で記録し、また、前記再生手段で再生されたディジタル情報を前記暗号化手段で暗号化して前記出力手段から出力するように制御することを特徴とするディジタル情報記録再生装置。
【請求項２】
コピー制限情報の付加されたディジタル情報が入力される入力手段と、
入力された前記ディジタル情報を復号化する復号化手段と、
入力された前記ディジタル情報および前記コピー制限情報を記録媒体に記録し再生する記録再生手段と、
再生された前記ディジタル情報を暗号化する暗号化手段と、
前記コピー制限情報の種別を判別する判別手段と、
前記ディジタル情報の処理を制御する制御手段とを備え、
前記制御手段は、コピー制限情報の種類が１回のみコピー許可を示すとき、入力されたディジタル情報を復号化して記録し、再生されたディジタル情報を暗号化するよう制御することを特徴とするディジタル情報記録再生装置。
【請求項３】
コピー制限情報が付加されたディジタル情報を入力する入力手段と、
前記入力されたディジタル情報を復号化する復号化手段と、
前記入力されたディジタル情報を記録媒体に記録する記録手段と、
記録媒体からコピー制限情報が付加されたディジタル情報を再生する再生手段と、
前記再生されたディジタル情報を暗号化する暗号化手段と、
前記再生されたディジタル情報を出力する出力手段と、
前記入力または再生されたコピー制限情報の種類を判別する判別手段とを備え、
前記記録手段は、入力された前記コピー制限情報の種類が１回のみコピー許可を示す場合は前記入力したディジタル情報を復号化し、コピー制限情報をコピー禁止に変更して記録し、
前記出力手段は、再生された前記コピー制限情報の種類がコピー禁止を示す場合は前記再生されたディジタル情報を暗号化して出力することを特徴とするディジタル情報記録再生装置。
【請求項４】
コピー制限情報が付加された第１のディジタル情報を入力する入力手段と、
前記入力された第１のディジタル情報を復号化して第２のディジタル情報に変換する復号化手段と、
前記第１のディジタル情報もしくは前記第２のディジタル情報を記録媒体に記録する記録手段と、
記録媒体からコピー制限情報が付加された第３のディジタル情報を再生する再生手段と、
前記再生された第３のディジタル情報を暗号化して第４のディジタル情報に変換する暗号化手段と、
前記第３のディジタル情報もしくは前記第４のディジタル情報を出力する出力手段と、
前記入力または再生されたコピー制限情報の種類を判別する判別手段とを備え、
前記記録手段は、入力された前記コピー制限情報の種類が無制限にコピー許可を示す場合は前記第１のディジタル情報を記録し、１回のみコピー許可を示す場合は前記第２のディジタル情報を記録し、コピー禁止を示す場合はいずれも記録せず、
前記出力手段は、再生された前記コピー制限情報の種類が無制限にコピー可を示す場合は前記第３のディジタル情報を出力し、１回のみコピー許可またはコピー禁止を示す場合は前記第４のディジタル情報を出力することを特徴とするディジタル情報記録再生装置。
【請求項５】
請求項１ないし４のいずれか１項に記載のディジタル情報記録再生装置において、
前記入力されるディジタル情報に付加されるコピー制限情報は、該ディジタル情報がコピー禁止か、予め定められた回数のコピー許可か、コピー許可かを示すものであることを特徴とするディジタル情報記録再生装置。
【請求項６】
請求項５に記載のディジタル情報記録再生装置において、
前記入力されるディジタル情報は、該ディジタル情報に付加されるコピー制限情報の種類により、暗号化されたディジタル情報であるか、暗号化されていないディジタル情報であるかが定められていることを特徴とするディジタル情報記録再生装置。
【請求項７】
請求項６に記載のディジタル情報記録再生装置において、
前記付加されるコピー制限情報の種類がコピー禁止か予め定められた回数のコピー許可を示すものである場合には、前記入力するディジタル情報は暗号化されたものであり、前記コピー制限情報の種類がコピー許可を示すものである場合には、前記入力するディジタル情報は暗号化されていないものであることを特徴とするディジタル情報記録再生装置。
【請求項８】
コピー制限情報が付加されたディジタル情報を入力し、
前記コピー制限情報の種別を判別し、
該判別結果に応じて入力された前記ディジタル情報を復号化し、
該判別結果に応じて前記ディジタル情報を記録媒体に記録し、
記録媒体に記録された前記ディジタル情報を再生し、
前記判別結果に応じて再生された前記ディジタル情報を暗号化し、
暗号化された前記ディジタル情報を出力することを特徴とするディジタル情報記録再生方法。
【請求項９】
コピー制限情報の付加されたディジタル情報を入力し、
前記コピー制限情報の種類を判別し、
該判別結果が１回のみコピー許可を示すとき、入力されたディジタル情報を復号化し、
前記ディジタル情報を記録媒体に記録し、
記録媒体から前記ディジタル情報を再生し、
再生された前記ディジタル情報を暗号化することを特徴とするディジタル情報記録再生方法。
【請求項１０】
コピー制限情報が付加されたディジタル情報を入力し、
前記コピー制限情報の種類を判別し、
該判別結果が１回のみコピー許可を示す場合は入力されたディジタル情報を復号化し、
前記コピー制限情報をコピー禁止に変更して前記ディジタル情報に付加して記録媒体に記録し、
記録媒体からコピー制限情報が付加されたディジタル情報を再生し、
再生された前記コピー制限情報の種類がコピー禁止を示す場合は前記再生されたディジタル情報を暗号化し、
前記暗号化されたディジタル情報を出力することを特徴とするディジタル情報記録再生方法。
【請求項１１】
請求項８ないし１０のいずれか１項に記載のディジタル情報記録再生方法において、
前記入力されるディジタル情報に付加されるコピー制限情報は、該ディジタル情報がコピー禁止か、予め定められた回数のコピー許可か、コピー許可かを示すものであることを特徴とするディジタル情報記録再生方法。
【請求項１２】
請求項１１に記載のディジタル情報記録再生方法において、
前記付加されるコピー制限情報の種類がコピー禁止か予め定められた回数のコピー許可を示すものである場合には、前記入力するディジタル情報は暗号化されたものであり、前記コピー制限情報の種類がコピー許可を示すものである場合には、前記入力するディジタル情報は暗号化されていないものであることを特徴とするディジタル情報記録再生方法。
【手続補正３】
【補正対象書類名】明細書
【補正対象項目名】００１０
【補正方法】変更
【補正の内容】
【００１０】
【課題を解決するための手段】
上記課題を解決するため、本発明では、コピー制限情報が付加されたディジタル情報が入力される入力手段と、入力された前記ディジタル情報を復号化する復号化手段と、復号化された前記ディジタル情報を記録媒体に記録する記録手段と、記録媒体に記録された前記ディジタル情報を再生する再生手段と、再生された前記ディジタル情報を暗号化する暗号化手段と、暗号化された前記ディジタル情報を出力する出力手段と、前記コピー制限情報の種別を判別する判別手段と、前記ディジタル情報の処理を制御する制御手段とを備えた。前記制御手段は、前記判別手段における判別結果に応じて、前記入力手段に入力されたディジタル情報を前記復号化手段で復号化して前記記録手段で記録し、また、前記再生手段で再生されたディジタル情報を前記暗号化手段で暗号化して前記出力手段から出力するように制御する。